(57)【要約】【課題】利便性及び携帯性に優れるブラシ付き靴べらを提供する。【解決手段】ブラシ付き靴べら１００は、表面と裏面とを有する平板状のブラシ基台１と、ブラシ基台１の表面Ｒから表面Ｒに垂直な方向に向かって伸びる毛材２と、把手部３１から舌片状部３２にかけての長手方向がブラシ基台１の表面に沿うように、ブラシ基台１との間に毛材２の少なくとも一部を介在させて配置された靴べら３と、を備える。靴べら３は、ブラシ基台１に対してスライド可能である。【選択図】図１
2018153545.tif 000002
【特許請求の範囲】
【請求項１】
表面と裏面とを有する平板状のブラシ基台と、
前記ブラシ基台の表面から該表面に垂直な方向に向かって伸びる毛材と、
把手部から舌片状部にかけての長手方向が前記ブラシ基台の表面に沿うように、前記ブラシ基台との間に前記毛材の少なくとも一部を介在させて配置された靴べらと、
を備え、
前記靴べらは、
前記ブラシ基台に対してスライド可能である、
ブラシ付き靴べら。
【請求項２】
前記靴べらは、
前記ブラシ基台の表面に沿って前記長手方向にスライドする、
請求項１に記載のブラシ付き靴べら。
【請求項３】
前記ブラシ基台の裏面が対向するように前記ブラシ基台が設けられた本体部をさらに備え、
前記靴べらは、
前記本体部に取り付けられ、
前記靴べらを前記舌片状部の方向にスライドさせると、前記表面に垂直な方向からの平面視において前記舌片状部が前記本体部と重ならない位置に移動する、
請求項１又は２に記載のブラシ付き靴べら。
【請求項４】
前記靴べらは、
前記毛材に対向する面に突起部を備え、
前記本体部は、
前記突起部と噛み合うことで、前記靴べらの長手方向における位置を保持する保持部を備える、
請求項３に記載のブラシ付き靴べら。
【請求項５】
前記保持部は、
前記ブラシ基台と連結された連結部を備え、
前記突起部と噛み合うと、前記連結部を介して前記ブラシ基台を前記表面側に押し出す、
請求項４に記載のブラシ付き靴べら。
【請求項６】
前記毛材は、
前記靴べらをスライドさせた際の前記突起部の軌道に重ならないように前記ブラシ基台の表面に配置されている、
請求項４又は５に記載のブラシ付き靴べら。
【請求項７】
前記ブラシ基台と前記本体部との間に配置された弾性体をさらに備え、
前記弾性体は、
前記靴べらが前記把手部の方向にスライドされて、前記突起部が前記ブラシ基台を本体部の方向に押し込むことで、前記本体部の方向に縮められ、
前記靴べらが前記舌片状部の方向にスライドされて、前記突起部による前記ブラシ基台の本体部の方向への押し込みが解除されることで、前記ブラシ基台の方向に伸びて前記ブラシ基台を前記表面側に押し出す、
請求項４から６のいずれか一項に記載のブラシ付き靴べら。
【発明の詳細な説明】
【技術分野】
【０００１】
本発明は、ブラシ付き靴べらに関する。
【背景技術】
【０００２】
靴を履く際、靴べらがあると便利である。外出先でも脱いだ靴を履くことがあるため、携帯用の靴べらが提案されている。例えば、特許文献１には、変形する素材で形成された靴べらが開示されている。特許文献１に開示された靴べらは変形するため、筒状の本体部に該靴べらを収めることができる。
【０００３】
靴べらと同様に、靴を履く際に靴底の付着物及び靴表面の埃等を落とすためにブラシが使用されることもある。靴べらとブラシとを組み合わせたブラシ付き靴べらが、特許文献２に挙げられている。特許文献２のブラシ付き靴べらは、ブラシと靴べらとが蝶番を介して連結されている。当該ブラシ付き靴べらは、折り曲げることができるので、携帯に都合がいい。
【先行技術文献】
【特許文献】
【０００４】
【特許文献１】特開２００６−０８１０７６号公報
【特許文献２】実公昭５６−１１１９４４号公報
【発明の概要】
【発明が解決しようとする課題】
【０００５】
しかし、上記特許文献１に開示された靴べらは変形する素材で形成されているため、靴べら自体の応力に対する強度が十分でない。靴べらの強度が十分でないと、靴べらを用いてかかとを靴に挿入するときに、靴べらが変形し、靴へのかかとの挿入を補助できないことがある。また、靴べらが変形するため、靴べらを靴に滑らかに挿入できない、又は靴べらを靴から滑らかに引き抜けない場合もある。このように、上記特許文献１に開示された靴べらの利便性は改善の余地がある。
【０００６】
特許文献２のブラシ付き靴べらでは、折り曲げた状態から、ブラシが露出した伸びた状態に容易になってしまう。収納していた鞄等の中で、該ブラシ付き靴べらが伸びた状態になってしまうと、ブラシに付着した汚れが鞄等の中に落ちてしまうといった不都合がある。このため、特許文献２のブラシ付き靴べらを携帯するには、該ブラシ付き靴べらを袋等に収納したり、バンドで縛ったりして、折り曲げた状態を維持する必要がある。したがって、上記特許文献２に開示されたブラシ付き靴べらでは、携帯性が高いとは言い難い。
【０００７】
本発明は、上記実情に鑑みてなされたものであり、利便性及び携帯性に優れるブラシ付き靴べらを提供することを目的とする。
【課題を解決するための手段】
【０００８】
上記目的を達成するため、本発明の観点に係るブラシ付き靴べらは、
表面と裏面とを有する平板状のブラシ基台と、
前記ブラシ基台の表面から該表面に垂直な方向に向かって伸びる毛材と、
把手部から舌片状部にかけての長手方向が前記ブラシ基台の表面に沿うように、前記ブラシ基台との間に前記毛材の少なくとも一部を介在させて配置された靴べらと、
を備え、
前記靴べらは、
前記ブラシ基台に対してスライド可能である。
【０００９】
この場合、前記靴べらは、
前記ブラシ基台の表面に沿って前記長手方向にスライドする、
こととしてもよい。
【００１０】
また、上記本発明の観点に係るブラシ付き靴べらは、
前記ブラシ基台の裏面が対向するように前記ブラシ基台が設けられた本体部をさらに備え、
前記靴べらは、
前記本体部に取り付けられ、
前記靴べらを前記舌片状部の方向にスライドさせると、前記表面に垂直な方向からの平面視において前記舌片状部が前記本体部と重ならない位置に移動する、
こととしてもよい。
【００１１】
また、前記靴べらは、
前記毛材に対向する面に突起部を備え、
前記本体部は、
前記突起部と噛み合うことで、前記靴べらの長手方向における位置を保持する保持部を備える、
こととしてもよい。
【００１２】
また、前記保持部は、
前記ブラシ基台と連結された連結部を備え、
前記突起部と噛み合うと、前記連結部を介して前記ブラシ基台を前記表面側に押し出す、
こととしてもよい。
【００１３】
また、前記毛材は、
前記靴べらをスライドさせた際の前記突起部の軌道に重ならないように前記ブラシ基台の表面に配置されている、
こととしてもよい。
【００１４】
また、上記本発明の観点に係るブラシ付き靴べらは、
前記ブラシ基台と前記本体部との間に配置された弾性体をさらに備え、
前記弾性体は、
前記靴べらが前記把手部の方向にスライドされて、前記突起部が前記ブラシ基台を本体部の方向に押し込むことで、前記本体部の方向に縮められ、
前記靴べらが前記舌片状部の方向にスライドされて、前記突起部による前記ブラシ基台の本体部の方向への押し込みが解除されることで、前記ブラシ基台の方向に伸びて前記ブラシ基台を前記表面側に押し出す、
こととしてもよい。
【発明の効果】
【００１５】
本発明に係るブラシ付き靴べらは、利便性及び携帯性に優れる。
【図面の簡単な説明】
【００１６】
【図１】本発明の実施の形態に係るブラシ付き靴べらの外観を示す図である。（Ａ）は靴べらを収納した態様を示す図である。（Ｂ）は使用時の態様を示す図である。
【図２】図１に示すブラシ付き靴べらの断面を示す図である。（Ａ）は図１（Ａ）に示すブラシ付き靴べらの断面を示す図である。（Ｂ）は図１（Ｂ）に示すブラシ付き靴べらの断面を示す図である。
【図３】別の実施の形態に係るブラシ付き靴べらの外観を示す図である。（Ａ）は靴べらを収納した態様を示す図である。（Ｂ）は使用時の態様を示す図である。
【発明を実施するための形態】
【００１７】
本発明に係る実施の形態について図面を参照して説明する。なお、本発明は下記の実施の形態及び図面によって限定されるものではない。下記の実施の形態及び図面に変更を加えることができるのはもちろんである。
【００１８】
（実施の形態）
本実施の形態に係るブラシ付き靴べら１００は、図１（Ａ）に示すように、ブラシ基台１と、毛材２と、靴べら３と、本体部４と、を備える。ブラシ基台１は、表（オモテ）面Ｒと裏面Ｗとを有する平板状の部材である。ブラシ基台１の素材は、平板状に成形できるものであれば特に限定されず、例えば、合成樹脂、金属、合金及び木材等である。
【００１９】
毛材２は、ブラシ基台１の表面Ｒから該表面Ｒに垂直な方向に向かって伸びている。毛材２の素材としては、ナイロン、ポリプロピレン、塩化ビニール、ポリエステル、アクリル及びフッ素繊維等の化学繊維、馬毛、豚毛及び鹿毛等の動物繊維、並びにタンピコ、パーム及びシダ等の植物繊維等が挙げられる。毛材２は、ブラシ基台１の内部に取り付けられ、ブラシ基台１の表面Ｒに形成された穴を貫通して該表面Ｒに垂直な方向に伸びている。
【００２０】
靴べら３は、把手部３１と、舌片状部３２と、ガード３３と、を備える。把手部３１は、靴べら３の使用時に、使用者によってその付近が支持される部分である。舌片状部３２は、靴べら３の使用時に靴内に挿入される部分である。靴べら３は、木又は金属で形成される。図２（Ａ）は、図１（Ａ）の破線Ａ−Ａ’で表面Ｒに垂直な方向に切断されたブラシ付き靴べら１００の断面を示す。図２（Ａ）に示すように、靴べら３は、把手部３１から舌片状部３２にかけての長手方向がブラシ基台１の表面Ｒに沿うように、ブラシ基台１との間に毛材２の少なくとも一部を介在させて配置される。
【００２１】
本体部４は、プラスチック等の合成樹脂で形成される。本体部４には、ブラシ基台１の裏面Ｗが対向するようにブラシ基台１が設けられている。本体部４には、レール４１が設けられている。靴べら３のガード３３がレール４１に嵌まることで、靴べら３が本体部４に取り付けられている。ガード３３は、レール４１に案内されて、靴べら３の長手方向に往復移動できる。これにより、靴べら３は、ブラシ基台１に対してスライド可能である。より詳細には、靴べら３は、ブラシ基台１の表面Ｒに沿って長手方向にスライドする。
【００２２】
上記のスライドで移動させた靴べら３の位置によって、靴べら３とブラシ基台１との間に介在する毛材２が増減する。より詳細には図２（Ｂ）に示すように、靴べら３を舌片状部３２の方向にスライドさせるに従って、靴べら３とブラシ基台１との間に介在する毛材２の領域が減少する。一方、靴べら３を把手部３１の方向にスライドさせるに従って、靴べら３とブラシ基台１との間に介在する毛材２の領域が増加する。
【００２３】
図１に戻って、図１（Ｂ）に示すように、靴べら３を舌片状部３２の方向にスライドさせると、表面Ｒに垂直な方向からの平面視において舌片状部３２が本体部４と重ならない位置に移動する。すなわち、表面Ｒに垂直な方向からの平面視において舌片状部３２が本体部４から外部に突出するようになる。これにより、ブラシ付き靴べら１００が、ブラシとしても靴べらとしても使用可能な状態になる。使用時には舌片状部３２が本体部４から十分に引き出されているため、靴べら３の舌片状部３２を靴に容易に挿入でき、かつ毛材２を使用することができる。靴べら３及び毛材２を使用しない時には、靴べら３を把手部３１の方向にスライドさせることで、表面Ｒに垂直な方向からの平面視において靴べら３と毛材２とが重なり、靴べら３をコンパクトに収納できる。
【００２４】
また、図２（Ａ）に示すように、靴べら３は、毛材２に対向する面に突起部３４を備える。さらに、本体部４は、保持部４２を備える。保持部４２は、突起部３４と噛み合うことで、靴べら３の長手方向における位置を保持する。本体部４における保持部４２の位置は、保持部４２と突起部３４とが噛み合ったときの舌片状部３２の位置が最も使用し易い位置になるように調整されている。
【００２５】
保持部４２は、ブラシ基台１と連結された連結部４３を備える。連結部４３は回転軸を介して、保持部４２とブラシ基台１とを連結している。図２（Ｂ）に示すように、保持部４２は、スライドしてきた突起部３４を受けると、てこの原理で、連結部４３が表面Ｒ側に移動するように形成されている。連結部４３の移動によって、連結部４３に連結されたブラシ基台１も表面Ｒ側に移動する。すなわち、保持部４２は、突起部３４と噛み合うと、連結部４３を介してブラシ基台１を表面Ｒ側に押し出す。こうすることで、毛材２が本体部４の外側に露出されるので、ブラシ付き靴べら１００をブラシとして使いやすい。
【００２６】
図２（Ａ）及び（Ｂ）に示すように、ブラシ基台１と本体部４との間には、弾性体５が配置されている。より具体的には、弾性体５はバネである。弾性体５は、靴べら３が把手部３１の方向にスライドされて、突起部３４がブラシ基台１を本体部４の方向に押し込むことで、本体部４の方向に縮められる。一方、靴べら３が舌片状部３２の方向にスライドされると、突起部３４によるブラシ基台１の本体部４の方向への押し込みが解除される。この結果、弾性体５は、ブラシ基台１の方向に伸びてブラシ基台１を表面Ｒ側に押し出す。これにより、毛材２が本体部４の外側にさらに露出した状態で保持されるので、ブラシ付き靴べら１００をブラシとしてさらに使いやすい。
【００２７】
以上詳細に説明したように、本実施の形態に係るブラシ付き靴べら１００によれば、靴べら３の応力に対する強度を維持したまま、靴べら３を本体部４に収納できる。このため、靴べら３は変形せずに靴への足の挿入を補助できる。また、靴べら３が変形しないため、靴べら３を靴に滑らかに挿入でき、靴べら３を靴から滑らかに引き抜くことができる。よって、ブラシ付き靴べら１００は、利便性に優れる。また、ブラシ付き靴べら１００では、ブラシ基台１の表面Ｒに沿って長手方向にスライド可能であるため、不意に使用可能な状態になることを防止でき、携帯性に優れる。
【００２８】
なお、本実施の形態に係るブラシ付き靴べら１００では、靴べら３を舌片状部３２の方向にスライドさせることで、毛材２を露出させることができる。靴べら３を把手部３１の方向にスライドさせ、靴べら３を収納した場合には、露出した毛材２を減らせることができる。このように、ブラシ付き靴べら１００は、使用の際に毛材２を適宜露出させ、使用後には毛材２を靴べら３で覆うことができる。このため、ブラシ付き靴べら１００によれば、使用しないときに毛材２に衣類等が接触することで毛材２の付着物等が衣類等に移ることを防止できる。
【００２９】
本実施の形態に係るブラシ付き靴べら１００は本体部４を備えるため、毛材２から落下した埃、砂及び泥等の付着物を本体部４に保持することができる。また、ブラシ付き靴べら１００は突起部３４及び保持部４２を備えるため、使用に最適な位置に靴べら３を保持できる。
【００３０】
なお、毛材２の配置を除いて上記ブラシ付き靴べら１００と同じ構成のブラシ付き靴べら２００を図３（Ａ）及び（Ｂ）に示す。ブラシ付き靴べら２００では、毛材２が靴べら３をスライドさせた際の突起部３４の軌道に重ならないようにブラシ基台１の表面に配置されている。こうすることで、靴べら３をスライドさせる際に、毛材２が突起部３４と接触することを防ぐことができる。これにより、複数回の使用で靴べら３のスライドを重ねても毛材２が損傷を受けにくく、毛材２の毛並みが長期間維持される。
【００３１】
また、靴べら３の長手方向へのスライド機構は、上述のようなレール４１に嵌まるガード３３に限らず、本体部４に設けた溝又はガイド穴を用いたスライド機構等を採用してもよい。また、弾性体５はバネに限定されず、ゴム等であってもよい。
【００３２】
なお、本体部４におけるブラシ基台１が配設された面の裏面に、滑り止めを設けてもよい。ブラシ付き靴べら１００を使用する際に、滑り止めに指を置くことで、使用者がブラシ付き靴べら１００をしっかりと保持できる。
【００３３】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００３４】
１  ブラシ基台
２  毛材
３  靴べら
４  本体部
５  弾性体
３１  把手部
３２  舌片状部
３３  ガード
３４  突起部
４１  レール
４２  保持部
４３  連結部
１００、２００  ブラシ付き靴べら
【図１】
2018153545.tif 000003
【図２】
2018153545.tif 000004
【図３】
2018153545.tif 000005
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
表面と裏面とを有する平板状のブラシ基台と、
前記ブラシ基台の表面から該表面に垂直な方向に向かって伸びる毛材と、
前記ブラシ基台の裏面が対向するように前記ブラシ基台が設けられた本体部と、
使用者によって支持される把手部を一端に、靴内に挿入される舌片状部を他端に有する靴べらと、
を備え、
前記靴べらは、
前記把手部から前記舌片状部にかけての長手方向が前記ブラシ基台の表面に沿うように、前記ブラシ基台と該靴べらとの間に前記毛材の少なくとも一部を介在させて前記本体部に取り付けられ、かつ前記毛材に対向する面に突起部を有し、前記ブラシ基台の表面に沿って前記長手方向にスライド可能であって、
前記靴べらを前記舌片状部の側へ前記長手方向にスライドさせると、前記表面に垂直な方向からの平面視において前記舌片状部が前記本体部と重ならない位置に移動し、
前記本体部は、
連結部を介して前記ブラシ基台と連結された保持部を備え、
前記保持部は、
前記舌片状部の側へ前記長手方向にスライドしてきた前記靴べらの前記突起部を受けると、てこの原理で前記連結部とともに前記ブラシ基台を前記表面側に移動させるように形成されており、前記舌片状部の側へ前記長手方向にスライドしてきた前記靴べらの前記突起部を受けて、前記表面側に移動した前記ブラシ基台と該保持部との間に前記突起部を保持する、
ブラシ付き靴べら。
【請求項２】
前記毛材は、
前記靴べらをスライドさせた際の前記突起部の軌道に重ならないように前記ブラシ基台の表面に配置されている、
請求項１に記載のブラシ付き靴べら。
【請求項３】
前記ブラシ基台と前記本体部との間に配置された弾性体をさらに備え、
前記弾性体は、
前記突起部が前記ブラシ基台の前記表面上にある状態では、前記突起部が前記ブラシ基台を本体部の方向に押し込むことで、前記本体部の方向に縮められ、
前記靴べらが前記舌片状部の側へ前記長手方向にスライドされて、前記突起部が前記ブラシ基台と前記保持部との間に保持されて前記ブラシ基台の本体部の方向への押し込みが解除されることで、前記ブラシ基台の方向に伸びて前記ブラシ基台を前記表面側に押し出す、
請求項１又は２に記載のブラシ付き靴べら。
【手続補正２】
【補正対象書類名】明細書
【補正対象項目名】０００８
【補正方法】変更
【補正の内容】
【０００８】  上記目的を達成するため、本発明の観点に係るブラシ付き靴べらは、
表面と裏面とを有する平板状のブラシ基台と、
前記ブラシ基台の表面から該表面に垂直な方向に向かって伸びる毛材と、
前記ブラシ基台の裏面が対向するように前記ブラシ基台が設けられた本体部と、
使用者によって支持される把手部を一端に、靴内に挿入される舌片状部を他端に有する靴べらと、
を備え、
前記靴べらは、
前記把手部から前記舌片状部にかけての長手方向が前記ブラシ基台の表面に沿うように、前記ブラシ基台と該靴べらとの間に前記毛材の少なくとも一部を介在させて前記本体部に取り付けられ、かつ前記毛材に対向する面に突起部を有し、前記ブラシ基台の表面に沿って前記長手方向にスライド可能であって、
前記靴べらを前記舌片状部の側へ前記長手方向にスライドさせると、前記表面に垂直な方向からの平面視において前記舌片状部が前記本体部と重ならない位置に移動し、
前記本体部は、
連結部を介して前記ブラシ基台と連結された保持部を備え、
前記保持部は、
前記舌片状部の側へ前記長手方向にスライドしてきた前記靴べらの前記突起部を受けると、てこの原理で前記連結部とともに前記ブラシ基台を前記表面側に移動させるように形成されており、前記舌片状部の側へ前記長手方向にスライドしてきた前記靴べらの前記突起部を受けて、前記表面側に移動した前記ブラシ基台と該保持部との間に前記突起部を保持する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】変更
【補正の内容】
【００１４】  また、上記本発明の観点に係るブラシ付き靴べらは、
前記ブラシ基台と前記本体部との間に配置された弾性体をさらに備え、
前記弾性体は、
前記突起部が前記ブラシ基台の前記表面上にある状態では、前記突起部が前記ブラシ基台を本体部の方向に押し込むことで、前記本体部の方向に縮められ、
前記靴べらが前記舌片状部の側へ前記長手方向にスライドされて、前記突起部が前記ブラシ基台と前記保持部との間に保持されて前記ブラシ基台の本体部の方向への押し込みが解除されることで、前記ブラシ基台の方向に伸びて前記ブラシ基台を前記表面側に押し出す、
こととしてもよい。